(57)【要約】      （修正有） 【課題】傾斜式スクリューコンベアにおいて、粉粒体を、低所から高所に輸送する場合に、回転保持機構に侵入する粉粒体を極力少なくする傾斜式スクリューコンベアを提供する。【解決手段】回転保持機構を、スクリューの下端寄り位置に嵌着された軸受ユニット９と、トラフの下端面に装着され軸受ユニットをトラフと所要の間隔をおいて保持しかつ下面壁を開口１０した軸受ユニット支持部材１１と、軸受ユニット支持部材における軸受ユニットの近傍位置にスクリューを貫通させて装着されスクリューにおける軸受ユニットの近傍部分を包囲する環状空間をこの軸受ユニットとで形成する環状カバー１２と、環状空間に圧縮空気を供給する圧縮空気供給手段１３と、トラフの下端壁に貫設されてこの下端壁とスクリューとの隙間からの粉粒体の漏出を防止するグランドパッキン機構１４と、で構成する。【選択図】     図１
2008074559.tif 000002
【特許請求の範囲】
【請求項１】
傾斜して設けられその下部に投入口を且つその上部に排出口をそれぞれ有するトラフと、このトラフに回転可能にして装着され表面に螺旋状リードを設けたスクリューと、前記トラフの上端に装着され前記スクリューの上部を保持しかつスクリューを回転させる回転駆動手段と、前記トラフの下端に装着され前記スクリューの下部を回転自在に保持する回転保持機構と、を備えた傾斜式スクリューコンベアにおいて、
前記回転保持機構を、
前記スクリューの下端寄り位置に嵌着された軸受ユニットと、
前記トラフの下端面に装着されて前記軸受ユニットを前記トラフの下端面と所要の間隔をおいて保持しかつその下面壁を開口した軸受ユニット支持部材と、
この軸受ユニット支持部材における前記軸受ユニットの近傍位置に前記スクリューを貫通させて装着されて前記スクリューにおける前記軸受ユニットの近傍部分を包囲する環状空間を軸受ユニットとで形成する環状カバーと、
前記環状空間に圧縮空気を供給する圧縮空気供給手段と、
前記トラフの下端壁に貫設されてこの下端壁と前記スクリューとの隙間からの粉粒体の漏出を防止するグランドパッキン機構と、
によって構成したことを特徴とする傾斜式スクリューコンベア。
【発明の詳細な説明】
【技術分野】
【０００１】
本発明は、傾斜式スクリューコンベアの改良に関する。
【背景技術】
【０００２】
従来、この種の傾斜式スクリューコンベアのひとつとして、コンベアケース内にスクリューを装着し、コンベアケースの下方寄りに粉粒体投入口を、上方寄りに粉粒体排出口を有し、前記スクリューを回転させて、コンベアケース下方寄りの粉粒体排出口から排出する機能を備えるスクリューコンベアにおいて、前記スクリューコンベアの下方中空部内に位置して、上下両側にそれぞれオイルシールを装着したシールケースを配置し、前記シールケースと駆動軸との間に、前記オイルシールで閉塞された空隙部分を形成し、この空隙部分にグリースを充填して、傾斜式スクリューコンベアによって低所から高所に輸送する場合に、スクリュー下方軸受部に侵入する粉粒体を極力少なくするようにしたものがある。
【特許文献１】特開平７−２８５６３９号公報  図３
【発明の開示】
【発明が解決しようとする課題】
【０００３】
しかし、このように構成された従来の傾斜式スクリューコンベアでは、砂などの粉粒体がスクリュー下方軸受部に侵入するのを、まだ十分に防止することができないなどの問題があった。
【０００４】
本発明は上記の事情に鑑みてなされたもので、その目的は、傾斜式スクリューコンベアによって砂などの粉粒体を、低所から高所に輸送する場合に、スクリュー下方軸受部に侵入する粉粒体を、より一層少なくすることが可能な傾斜式スクリューコンベアを提供することにある。
【課題を解決するための手段】
【０００５】
上記の問題を解消するために本発明における傾斜式スクリューコンベアは、傾斜して設けられその下部に投入口を且つその上部に排出口をそれぞれ有するトラフと、このトラフに回転可能にして装着され表面に螺旋状リードを設けたスクリューと、前記トラフの上端に装着され前記スクリューの上部を保持しかつスクリューを回転させる回転駆動手段と、前記トラフの下端に装着され前記スクリューの下部を回転自在に保持する回転保持機構と、を備えた傾斜式スクリューコンベアにおいて、前記回転保持機構を、前記スクリューの下端寄り位置に嵌着された軸受ユニットと、前記トラフの下端面に装着されて前記軸受ユニットを前記トラフと所要の間隔をおいて保持しかつ下面壁を開口した軸受ユニット支持部材と、この軸受ユニット支持部材における前記軸受ユニットの近傍位置に前記スクリューを貫通させて装着され前記スクリューにおける前記軸受ユニットの近傍部分を包囲する環状空間をこの軸受ユニットとで形成する環状カバーと、前記環状空間に圧縮空気を供給する圧縮空気供給手段と、前記トラフの下端壁に貫設されてこの下端壁と前記スクリューとの隙間からの粉粒体の漏出を防止するグランドパッキン機構と、によって構成したことを特徴とする。
【０００６】
このように構成されたものは、トラフからの粉粒体の漏出をグランドパッキン機構によって防止し、グランドパッキン機構から漏出した粉粒体を軸受ユニット支持部材の開口から落下排出させ、さらに、圧縮空気供給手段によって環状空間に圧縮空気を供給しスクリューと環状カバーとの隙間から圧縮空気を噴出させて粉粒体の軸受ユニット内への侵入を防止する。
【発明の効果】
【０００７】
上記の説明からも明らかなように本発明は、傾斜して設けられその下部に投入口を且つその上部に排出口をそれぞれ有するトラフと、このトラフに回転可能にして装着され表面に螺旋状リードを設けたスクリューと、前記トラフの上端に装着され前記スクリューの上部を保持しかつスクリューを回転させる回転駆動手段と、前記トラフの下端に装着され前記スクリューの下部を回転自在に保持する回転保持機構と、を備えた傾斜式スクリューコンベアにおいて、前記回転保持機構を、前記スクリューの下端寄り位置に嵌着された軸受ユニットと、前記トラフの下端面に装着されて前記軸受ユニットを前記トラフと所要の間隔をおいて保持しかつ下面壁を開口した軸受ユニット支持部材と、この軸受ユニット支持部材における前記軸受ユニットの近傍位置に前記スクリューを貫通させて装着され前記スクリューにおける前記軸受ユニットの近傍部分を包囲する環状空間をこの軸受ユニットとで形成する環状カバーと、前記環状空間に圧縮空気を供給する圧縮空気供給手段と、前記トラフの下端壁に貫設されてこの下端壁と前記スクリューとの隙間からの粉粒体の漏出を防止するグランドパッキン機構と、によって構成したから、グランドパッキン機構によってトラフからの粉粒体の漏出を防止し、グランドパッキン機構から漏出した粉粒体を軸受ユニット支持部材の開口から落下排出させ、さらに、圧縮空気供給手段によって環状空間に圧縮空気を供給しスクリューと環状カバーとの隙間から圧縮空気を噴出させて粉粒体の軸受ユニット内への侵入を防止することにより、粉粒体の軸受ユニット内への侵入を、より一層少なくすることが可能になるなどの優れた実用的効果を奏する。
【発明を実施するための最良の形態】
【０００８】
本発明を適用した傾斜式スクリューコンベアの一実施例について図１および図２に基づき詳細に説明する。本傾斜式スクリューコンベアを用いた設備として、図２に示すように、水平状態のスクリューコンベア１から排出される粉粒体を傾斜式スクリューコンベア２によって搬送して、空気式輸送装置３の真上に装着されたホッパ４に供給するようにしたものがある。
【０００９】
そして、前記傾斜式スクリューコンベア２は、図２に示すように、傾斜して設けられその下部に投入口をまたその上部に排出口をそれぞれ有するトラフ５と、このトラフ５に回転可能にして装着され表面に螺旋状リードを設けたスクリュー６と、前記トラフ５の上端に装着され前記スクリュー６の上部を保持しかつスクリュー６を回転させる回転駆動手段７と、前記トラフ５の下端に装着され前記スクリュー６の下部を回転自在に保持する回転保持機構８と、を備えている。
【００１０】
また、前記回転保持機構８は、図１に示すように、前記スクリュー６の下端寄り位置に嵌着された軸受ユニット９と、前記トラフ５の下端面に装着されて前記軸受ユニット９を前記トラフ５と所要の間隔をおいて保持しかつその下面壁を開口１０した軸受ユニット支持部材１１と、この軸受ユニット支持部材１１における前記軸受ユニット９の近傍位置に前記スクリュー６を貫通させて装着され前記スクリュー６における前記軸受ユニット９の近傍部分を包囲する環状空間をこの軸受ユニット９とで形成する環状カバー１２と、前記環状空間に圧縮空気を供給する圧縮空気供給手段１３と、前記トラフ５の下端壁に貫設されてこの下端壁と前記スクリュー６との隙間からの粉粒体の漏出を防止するグランドパッキン機構１４と、で構成してある。
【００１１】
このように構成したものは、トラフ５からの粉粒体の漏出をグランドパッキン機構１４によって防止し、グランドパッキン機構１４から漏出した粉粒体を軸受ユニット支持部材１１の開口１０から落下排出させ、さらに、圧縮空気供給手段１３によって環状空間に圧縮空気を供給しスクリュー６と環状カバー１２との隙間から圧縮空気を噴出させて軸受ユニット９内への粉粒体の侵入を防止することができる。
【図面の簡単な説明】
【００１２】
【図１】本発明を適用した傾斜式スクリューコンベアの主要部の拡大詳細縦断面図である。
【図２】本発明適用の傾斜式スクリューコンベアを用いた設備の一実施例を示す正面図である。
【符号の説明】
【００１３】
２    傾斜式スクリューコンベア
５    トラフ
６    スクリュー
７    回転駆動手段
８    回転保持機構
９    軸受ユニット
１０    開口
１１    軸受ユニット支持部材
１２    環状カバー
１３    圧縮空気供給手段
１４    グランドパッキン機構
【図１】
2008074559.tif 000003
【図２】
2008074559.tif 000004